(57)【要約】【課題】バーチャルペイシェントデータを利用して、通院による診察／治療を必要とする人物を抽出することで、無駄な通院及び治療開始の遅れを防止し、効率の良い診察／治療を可能とする通院者選定装置を提供すること。【解決手段】疾病に係る情報である疾病情報を入力する情報入力部2と、前記疾病情報と、通院を要する患者候補者を選定する為の候補者選定情報とを照合して、ＶＰデータが格納されたデータベースから患者候補者のＶＰデータを抽出する抽出部10と、前記抽出部10により抽出されたＶＰデータについて、通院を要するか否かを判定するＶＰ判定部12と、前記ＶＰ判定部12により、通院を要すると判定された仮想患者データに対応する患者候補者に対して、通院を促す通知を行う通知部14と、を通院者選定装置1に具備させる。【選択図】      図１
2010113477.tif 000002
【特許請求の範囲】
【請求項１】
疾病に係る情報である疾病情報を入力する情報入力部と、
前記疾病情報と、通院を要する患者候補者を選定する為の候補者選定情報と、を照合して、仮想患者データが格納されたデータベースから、前記患者候補者の仮想患者データを抽出する抽出部と、
前記抽出部により抽出された前記患者候補者の仮想患者データについて、通院を要するか否かを判定する仮想診断部と、
前記仮想診断部により通院を要すると判定された仮想患者データに対応する患者候補者に対して、通院を要する旨を通知する通知部と、
を具備することを特徴とする通院者選定装置。
【請求項２】
前記疾病情報は、疾病の種類を示す情報、疾病の発生日時・場所を示す情報、及び疾病に罹る条件を示す情報、のうち少なくとも何れか一つの情報から成る情報であることを特徴とする請求項１に記載の通院者選定装置。
【請求項３】
前記情報入力部により入力された前記疾病情報を保存する入力結果保存部を含むことを特徴とする請求項１に記載の通院者選定装置。
【請求項４】
前記候補者選定情報は、当該通院者選定装置による通院者選定処理の対象者の移動履歴データ、仮想患者データ、及び電子カルテデータ、のうち少なくとも何れか一つの情報から成る情報であり、
前記抽出部は、前記候補者選定情報を所定のデータベースから取得し、前記候補者選定情報と前記疾病情報とを照合して、仮想患者データが格納されたデータベースから、前記患者候補者の仮想患者データを抽出することを特徴とする請求項１に記載の通院者選定装置。
【請求項５】
外部システムと接続されており、それら接続先の外部システムから情報を取得する情報収集部と、
前記情報収集部が取得した情報に対して所定の処理を施して疾病情報を抽出する情報分析部と、
前記疾病情報と、通院を要する患者候補者を選定する為の候補者選定情報と、を照合して、仮想患者データが格納されたデータベースから、前記患者候補者の仮想患者データを抽出する抽出部と、
前記抽出部により抽出された前記患者候補者の仮想患者データについて、通院を要するか否かを判定する仮想診断部と、
前記仮想診断部により通院を要すると判定された仮想患者データに対応する患者候補者に対して、通院を要する旨を通知する通知部と、
を具備することを特徴とする通院者選定装置。
【発明の詳細な説明】
【技術分野】
【０００１】
本発明は、通院を要する患者を的確に選別する通院者選定装置に関する。
【背景技術】
【０００２】
従来より、バイタルデータ、医用画像による撮影結果／所見、及びカルテ等の電子データ化が進んでいる。このように電子データ化された種々の医療情報に基づいて作成されたデータ（便宜的に“バーチャルペイシェントデータ”と称されている）は、当該バーチャルペイシェントデータのみに基づいて医師が或る程度の診察を行うことが可能な電子データである。
【０００３】
詳細には、このバーチャルペイシェントデータは、例えば健診センター、検体検査センター、及び各診療所や病院等、様々な医療現場等において収集された医療情報に基づいて作成された電子データである。従って、このバーチャルペイシェントデータを用いて、当該患者について仮想的な診断を行うことができる。そして、このバーチャルペイシェントデータは、各病院における管理システム内で保存／収集されている。
【０００４】
ところで、近年、バーチャルペイシェントデータを利用するシステムの普及に伴って、バーチャルペイシェントデータを利用する様々なシステムが提案されている。
【０００５】
例えば特許文献１には、医療情報が保存されている複数のデータベースに電気的通信回線を介して接続されたバーチャルペイシェントシステムにおいて、患者識別情報と使用者の役割と使用場面と患者の症状とを入力する入力部と、患者識別情報と使用者の役割と使用場面と患者の症状とに対応する医療情報を複数のデータベースから収集するデータ収集部と、収集した医療情報を表示させる画面構築とを具備するバーチャルペイシェントシステムが開示されている。
【０００６】
この特許文献１に開示されたバーチャルペイシェントシステムによれば、多くの医療情報の中から利用者にとって必要な情報が選択して提供される。
【特許文献１】特開２００４−２５８９７８号公報
【発明の開示】
【発明が解決しようとする課題】
【０００７】
ところで、バーチャルペイシェントデータのみに基づいて、医師が或る程度の診察を行うことができるとはいえ、詳細な診断の為には、当然ながら患者本人が病院を訪れて直接に検査・診断を受ける必要がある。
【０００８】
すなわち、例えば特定の疾患の疑いが生じた場合等、通院が本当に必要な場合にのみ、当該患者は、病院を訪れて必要な検査を受け、医師による診断を仰ぐ必要がある。
【０００９】
しかしながら、患者が患者自身の判断で、通院の要／不要を判断するのは困難であり、また危険でもある。従って、現実には、通院を必要としない患者が通院し、病院で無駄な検査／診察を受けるケースや、逆のケースとして、通院を必要とする患者が通院せず、結果として治療開始が遅れてしまうケースが存在する。
【００１０】
より詳細には、前者のケースとしては、例えば或る場所で伝染病が発生した場合に、その伝染病発生に関する情報を入手した人が実際には感染していないにも関わらず病院を訪れてしまい、無駄な検査／診察が生じるケースを挙げることができる。また、後者のケースとしては、例えば前記伝染病に感染した人がその伝染病の発生情報を知らないが故に病院を訪れず、結果として治療開始時期が遅れてしまうケースを挙げることができる。
【００１１】
なお、上述した特許文献１に開示されている技術は、上述した問題を解決する為にバーチャルペイシェントデータを利用する技術ではない。
【００１２】
本発明は、前記の事情に鑑みて為されたものであり、バーチャルペイシェントデータを利用して、通院による診察／治療を必要とする人物を抽出することで、無駄な通院及び治療開始の遅れを防止し、効率の良い診察／治療を可能とする通院者選定装置を提供することを目的とする。
【課題を解決するための手段】
【００１３】
前記の目的を達成するために、請求項１に記載の本発明による通院者選定装置は、
疾病に係る情報である疾病情報を入力する情報入力部と、
前記疾病情報と、通院を要する患者候補者を選定する為の候補者選定情報と、を照合して、仮想患者データが格納されたデータベースから、前記患者候補者の仮想患者データを抽出する抽出部と、
前記抽出部により抽出された前記患者候補者の仮想患者データについて、通院を要するか否かを判定する仮想診断部と、
前記仮想診断部により通院を要すると判定された仮想患者データに対応する患者候補者に対して、通院を要する旨を通知する通知部と、
を具備することを特徴とする。
【００１４】
前記の目的を達成するために、請求項５に記載の本発明による通院者選定装置は、
外部システムと接続されており、それら接続先の外部システムから情報を取得する情報収集部と、
前記情報収集部が取得した情報に対して所定の処理を施して疾病情報を抽出する情報分析部と、
前記疾病情報と、通院を要する患者候補者を選定する為の候補者選定情報と、を照合して、仮想患者データが格納されたデータベースから、前記患者候補者の仮想患者データを抽出する抽出部と、
前記抽出部により抽出された前記患者候補者の仮想患者データについて、通院を要するか否かを判定する仮想診断部と、
前記仮想診断部により通院を要すると判定された仮想患者データに対応する患者候補者に対して、通院を要する旨を通知する通知部と、
を具備することを特徴とする。
【発明の効果】
【００１５】
本発明によれば、バーチャルペイシェントデータを利用して、通院による診察／治療を必要とする人物を抽出することで、無駄な通院及び治療開始の遅れを防止し、効率の良い診察／治療を可能とする通院者選定装置を提供することができる。
【発明を実施するための最良の形態】
【００１６】
［第１実施形態］
以下、図面を参照して本発明の第１実施形態に係る通院者選定装置について説明する。
【００１７】
図１は、本第１実施形態に係る通院者選定装置の一構成例を示す図である。
【００１８】
同図に示すように、通院者選定装置１は、情報入力部２と、入力結果保存部４と、加入者移動履歴ＤＢ６と、バーチャルペイシェント（以降、ＶＰと称する）抽出情報ＤＢ８と、抽出部１０と、ＶＰ判定部１２と、通知部１４と、を具備する。また、通院者選定装置１は、外部装置であるＥＨＲ（Ｅｌｅｃｔｒｉｃａｌ  Ｈｅａｌｔｈ  Ｒｅｃｏｒｄ） ＤＢ２６とＶＰリポジトリ２４と、に接続されている。
【００１９】
前記情報入力部２は、検査したい疾病に関する情報（以降、疾病情報と称する；詳細は後述する）をユーザが入力する為の入力部である。
【００２０】
前記入力結果保存部４は、情報入力部２により入力された前記疾病情報を記録する。
【００２１】
前記加入者移動履歴ＤＢ６は、例えばＧＰＳ（Ｇｌｏｂａｌ  Ｐｏｓｉｔｉｏｎｉｎｇ  Ｓｙｓｔｅｍ）システム等により取得した、当該通院者選定装置１による選定処理の対象者（加入者）の移動履歴情報が格納されているデータベースである。
【００２２】
前記ＶＰ抽出情報ＤＢ８は、後述するＶＰリポジトリ２４から供給されたＶＰデータが格納されているデータベースである。
【００２３】
前記抽出部１０は、前記加入者移動履歴ＤＢ６に格納された前記移動履歴情報と、後述するＥＨＲ ＤＢ２６に格納されたＥＨＲデータ（電子化された医療データ）と、前記入力結果保存部４に保存された前記疾病情報と、を照合して、前記疾病情報との一致度が所定の閾値より高いＶＰデータ（候補者ＶＰデータ）を、前記ＶＰ抽出情報ＤＢ８から抽出し、且つ該候補者ＶＰデータを一意に識別可能なデータとして（例えば患者名等を）、前記ＶＰ判定部１２に出力する。
【００２４】
前記ＶＰ判定部１２は、前記抽出部１０から出力された前記データに基づいて、前記ＶＰリポジトリ２４から、診断を行う対象の候補者ＶＰデータを取得して診断を行う。
【００２５】
前記通知部１４は、前記ＶＰ判定部１２による候補者ＶＰデータの診断結果に基づいて、通院が必要であると判定されたＶＰデータに対応する人物に、その旨を通知する。具体的には、この通知部１４による通知として、例えばインターネットや電話を利用した通知を挙げることができる。
【００２６】
前記ＥＨＲ ＤＢ２６は、前記ＥＨＲデータが格納されているデータベースである。
【００２７】
前記ＶＰリポジトリ２４は、前記加入者のＶＰデータが格納されているデータベースである。前記ＶＰ抽出情報８には、適宜このＶＰリポジトリ２４からＶＰデータが供給される。
【００２８】
以下、図２に示すフローチャートを参照して、本第１実施形態に係る通院者選定装置１による通院者選定処理について説明する。
【００２９】
まず、ユーザにより、前記情報入力部２（例えばユーザインタフェース）を用いて前記疾病情報が入力される（ステップＳ１）。ここで、前記疾病情報とは、具体的には例えば次のような情報で構成される情報である。
【００３０】
(１)疾病の種類を示す情報
(２)疾病の発生日時・場所を示す情報
(３)疾病に罹る条件(伝染方法，遺伝条件，環境ホルモンの種別等)を示す情報
なお、このステップＳ１において入力された前記疾病情報は、前記入力結果保存部４に保存される．
続いて、前記抽出部１０が、前記入力結果保存部４に保存された前記疾病情報と、前記加入者移動履歴ＤＢ６に格納された前記移動履歴情報と、前記ＥＨＲ ＤＢ２６に格納されたＥＨＲデータと、を照合し、前記疾病情報との一致度が所定の閾値より高いＶＰデータ（候補者ＶＰデータ）を、前記ＶＰ抽出情報ＤＢ８に格納されたＶＰデータから抽出し、且つ該候補者ＶＰデータを一意に識別可能なデータとして（例えば患者名等を）、前記ＶＰ判定部１２に出力する（ステップＳ２）。
【００３１】
そして、前記ＶＰ判定部１２は、前記抽出部１０から出力された前記データに基づいて、前記ＶＰリポジトリ２４から、最新状態に更新されている前記候補者ＶＰデータを取得して診断を行う（ステップＳ３）。このステップＳ３におけるＶＰデータの診断処理は、詳細には次のような処理を行う。
【００３２】
すなわち、診断対象の疾病に罹っているか否か、今後診断対象の疾病に罹る可能性はどの程度か、等の診断を行って、当該候補者ＶＰデータに対応する患者に来院が必要か否かを判定する。
【００３３】
具体的には、来院が必要か否かの判定は例えば以下の基準により行う。
【００３４】
(基準例１)診断対象の疾病に罹っていると判断した場合→通院が必要と判断
(基準例２)ＶＰデータに含まれる診断に必要な情報が古い為、診断対象の疾病に罹っているか否かを判断できない場合→通院が必要と判断
(基準例３)多少の異常が見られるが、診断対象の疾病に罹っていないと判断した場合→ユーザによる最終的な判断を促す
(基準例４)診断の結果、異常が見られない→通院は不要と判断
なお、このＶＰ判定部１２にユーザインタフェースを備えさせても良い。この場合、ユーザは、ユーザインタフェースを介して、ＶＰ判定部による判定結果に修正を加えたり、判定基準を変更したり等の操作を行うことができる。
【００３５】
前記ステップＳ３における処理を終えると、前記ＶＰ判定部１２による判定結果に基づいて通院が必要であると判定されたＶＰデータに対応する人物に、前記通知部１４によって、その旨を通知する（ステップＳ４）。
【００３６】
具体的には、このステップＳ４における通知方法としては、例えば電子メールを自動送信することにより通知する方法や、当該通院者選定装置１のユーザに電話等により通知を促す方法等、を挙げることができる。
【００３７】
以上説明したように、本第１実施形態によれば、ＶＰデータを利用して、通院による診察／治療を必要とする人物を抽出することで、無駄な通院及び治療開始の遅れを防止し、効率の良い診察／治療を可能とする通院者選定装置を提供することができる。
【００３８】
［第２実施形態］
以下、図面を参照して、本発明の第２実施形態に係る通院者選定装置について説明する。なお、説明の重複を避ける為、前記第１実施形態に係る通院者選定装置との相違点のみについて説明する。
【００３９】
図３は、本第２実施形態に係る通院者選定装置の一構成例を示す図である。本第２実施形態に係る通院者選定装置１００は、図３に示すように、前記第１実施形態に係る通院者選定装置１が具備する情報入力部２の代わりに、情報収集部２Ａと情報分析部２Ｂとを具備する。
【００４０】
前記情報収集部２Ａは、他の病院における情報管理システムやその他のシステム（以降、外部システムと総称する）と接続されており、それら接続先の外部システムから、疾病に関する情報を取得し、それらの情報に所定の処理（詳細は後述）を施したデータを、前記情報分析部２Ｂに出力する。
【００４１】
前記情報分析部２Ｂは、前記情報収集部２Ａから出力された前記データについて、所定のテキスト処理（詳細は後述）を行って疾病情報を抽出する。
【００４２】
以下、図４に示すフローチャートを参照して、本第２実施形態に係る通院者選定装置による通院者選定処理について説明する。
【００４３】
まず、前記情報収集部２Ａは、当該通院者選定装置１００に接続されている外部システムから、疾病（異常）発生予測の為のデータを取得する（ステップＳ１Ａ）。
【００４４】
このステップＳ１におけるデータの取得方法は、能動的なデータ取得としてもよいし、受動的なデータ取得としても勿論よい。また、データ取得のタイミングとしては、定期的なデータ取得としてもよいし、不定期的なデータ取得としても勿論よい。
【００４５】
なお、前記外部システムとしては、例えば、当該通院者選定装置が設置されている病院と同一の病院内で稼動する電子カルテシステム、他の病院で稼動する電子カルテシステム、一般のＷｅｂサイト等、を挙げることができる。この一般のＷｅｂサイトとしては、例えば、医療関係のニュースサイト、一般のニュースサイト、及び厚生労働省のＷｅｂサイト等、を挙げることができる。
【００４６】
ところで、Ｗｅｂサイトからのデータ取得においては、例えばＷｅｂサイトの更新情報(ＲＳＳ、電子メール)を参照して、疾病・災害関連のキーワードを含む項目を抽出し、該抽出した項目に対応するテキストデータを、Ｗｅｂサイトから取得する方法で行う。ここで、抽出する項目の一例として、例えば次のような項目を挙げることができる。
【００４７】
(項目例１)疾病の種類、及び該疾病が発生する可能性のある場所・日時（例えば、伝染性の疾病の場合には、○月○日(日時)に××ホテル(場所)に居た人は△△に感染している可能性がある等）
(項目例２)疾病の種類と、該疾病の種類に対応する検診データの条件との組み合わせ
(項目例３)疾病の種類と、該疾病の種類に対応する遺伝情報との組み合わせ
前記ステップＳ１Ａにおける処理を終えると、前記情報分析部２Ｂは、前記ステップＳ１Ａにおいて取得したデータのテキスト処理を行い、例えば以下の要素の組み合わせから成る疾病情報を抽出する（ステップＳ１Ｂ）。
【００４８】
(要素１)疾病の種類を示す情報
(要素２)疾病の発生日時・場所を示す情報
(要素３)疾病に罹る条件(伝染方法，遺伝条件，環境ホルモンの種別等)を示す情報
なお、前記情報分析部２Ｂにユーザインタフェースを備えさせてもよい。この場合、ユーザは、ユーザインタフェースを操作して、例えば次のような処理を行うことができる。
【００４９】
(処理１)前記情報分析部２Ｂによる分析結果の修正
(処理２)新たな分析結果の追加
ところで、前記情報分析部２Ｂによる分析結果は、前記入力結果保存部４に保存される。以降の処理（ステップＳ２乃至ステップＳ４）に関しては、前記第１実施形態に係る通院者選定装置１００と同様である。
【００５０】
以上説明したように、本第２実施形態によれば、前記第１実施形態に係る通院者選定装置と同様の効果を奏する通院者選定装置を提要することができる。
【００５１】
以上、第１実施形態及び第２実施形態に基づいて本発明を説明したが、本発明は上述した実施形態に限定されるものではなく、本発明の要旨の範囲内で種々の変形及び応用が可能なことは勿論である。
【００５２】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５３】
【図１】本発明の第１実施形態に係る通院者選定装置の一構成例を示す図。
【図２】本発明の第１実施形態に係る通院者選定装置による通院者選定処理のフローチャートを示す図。
【図３】本発明の第２実施形態に係る通院者選定装置の一構成例を示す図。
【図４】本発明の第２実施形態に係る通院者選定装置による通院者選定処理のフローチャートを示す図。
【符号の説明】
【００５４】
１，１００…通院者選定装置、  ２…情報入力部、  ２Ａ…情報収集部、  ２Ｂ…情報分析部、  ４…入力結果保存部、  ６…加入者移動履歴ＤＢ、  ８…バーチャルペイシェント抽出情報ＤＢ、  １０…抽出部、  １２…ＶＰ判定部、  １４…通知部、  ２４…ＶＰリポジトリ、  １００…通院者選定装置。
【図１】
2010113477.tif 000003
【図２】
2010113477.tif 000004
【図３】
2010113477.tif 000005
【図４】
2010113477.tif 000006